(57)【要約】【課題】バリの影響を受けることなく組付け性が維持されたスナップフィット機構及びこれを用いた羽根駆動装置を提供する。【解決手段】爪部７５ａを有する第１係合部７５と、爪部７５ａと係合し得る鍔部２４ａを有する第２係合部２４とを備え、第１係合部７５は、第１係合部２４及び第２係合部７５が係合した状態において第２係合部２４と当接する突起部７５ｃを有し、突起部７５ｃは、第１係合部７５のバリ７５ｚが発生し得る面に形成されると共に、発生し得るバリ７５ｚの面からの突出高さよりも高く形成されている。【選択図】図１０
2008128341.tif 000002
【特許請求の範囲】
【請求項１】
爪部を有する第１係合部と、前記爪部と係合し得る爪係止部を有する第２係合部とを備え、
前記第１係合部は、前記第２係合部と係合した状態において前記第２係合部と当接する突起部を有し、
前記突起部は、前記第１係合部のバリが発生し得る面に形成されると共に、前記発生し得るバリの前記面からの突出高さよりも高く形成されている、ことを特徴とするスナップフィット機構。
【請求項２】
前記突起部は、前記第２係合部との係合を容易にする傾斜面を有している、ことを特徴とする請求項１に記載のスナップフィット機構。
【請求項３】
開口を有する基板と、前記開口を開閉する羽根と、前記羽根を基板との間で保持する羽根受け板と、請求項１又は２に記載のスナップフィット機構とを備え、
前記基板と前記羽根受け板とは、前記スナップフィット機構により組み付けられる、ことを特徴とする羽根駆動装置。
【発明の詳細な説明】
【技術分野】
【０００１】
本発明は、スナップフィット機構及び羽根駆動装置に関する。
【背景技術】
【０００２】
カメラなどに用いられる羽根駆動装置は、被写体光が通過する開口を有する基板と、開口を開閉する羽根を基板との間で保持する羽根押え板とを備え、基板と羽根押え板とは、スナップフィット機構により互いに組み付けられるものがある（特許文献１参照）。
このようなスナップフィット機構は、爪部を有する第１係合部と、爪部と係合する爪係止部を有する第２係合部とが噛合うことにより互いに組み付けられるものである。
【０００３】
【特許文献１】特開２００５−２５０２９７号公報
【発明の開示】
【発明が解決しようとする課題】
【０００４】
ところでスナップフィット機構の組付け性は、スナップフィット機構を形成する樹脂の成形精度に依存する。
従ってスナップフィット機構を成形する際にバリが発生した場合には、そのバリが発生した箇所によっては組付け性が低下する恐れがある。組付け性が低下した場合、例えば、バリが組付け時に剥離し、ゴミとなって製品の品質低下の原因となったり、また組付けることそのものが困難な場合には製品として出荷することができないため、製品コストが増加するおそれがある。また、短時間で組付けることが困難となり、生産性が低下して、この場合にも製品コストが増加するおそれがある。
また、このような組付け精度の低下したスナップフィット機構を、羽根駆動装置の基板及び羽根押え板に採用した場合にも、バリの発生により組付け性が低下したり、バリが剥離しゴミとなってそれが羽根の駆動精度を落としたりする恐れがある。
【０００５】
そこで本発明は、バリの影響を受けることなく組付け性が維持されるスナップフィット機構及びこれを用いた羽根駆動装置を提供することを目的とする。
【課題を解決するための手段】
【０００６】
上記目的は、爪部を有する第１係合部と、前記爪部と係合し得る爪係止部を有する第２係合部とを備え、前記第１係合部は、前記第２係合部と係合した状態において前記第２係合部と当接する突起部を有し、前記突起部は、前記第１係合部のバリが発生し得る面に形成されると共に、前記発生し得るバリの前記面からの突出高さよりも高く形成されている、ことを特徴とするスナップフィット機構により達成できる。
この構成により、突起部は、第１及び第２係合部が係合する状態において第２係合部と当接すると共に、前記第１係合部のバリが発生し得る面に形成され、発生し得るバリの前記面からの突出高さよりも高く形成されているため、バリが発生した場合であっても、突起部はバリよりも高く形成されているので、第１及び第２係合部の係合において、バリによる影響を受けることがない。従って、バリの影響を受けることなく組付け性を維持することができる。また、バリが発生した場合であっても容易に組付けることができるので、バリによる不良品の発生を抑えることができ、製品コストの増加を抑制できる。
【０００７】
また、上記構成において、前記突起部は、前記第２係合部との係合を容易にする傾斜面を有している、構成を採用できる。
この構成により、更に組付け性を向上させることができる。組付け性が向上するので、生産性が向上する。
【０００８】
また、上記構成において、開口部を有する基板と、記開口を開閉する羽根と、前記羽根を基板との間で保持する羽根受け板と、上記のスナップフィット機構とを備え、前記基板と前記羽根受け板とは、上記のスナップフィット機構により組み付けられる、構成を採用できる。
この構成により、バリの影響を受けることなく組付け性が維持され、またバリが剥離しゴミとなってそれが羽根の駆動精度を落としたりする恐れがない羽根駆動装置を提供できる。
【発明の効果】
【０００９】
本発明によれば、バリの影響を受けることなく組付け性が維持されたスナップフィット機構及びこれを用いた羽根駆動装置を提供できる。
【発明を実施するための最良の形態】
【００１０】
以下、図面を参照して本発明に係る実施例を説明する。
図１は、羽根駆動装置の分解斜視図である。
カメラ用の羽根駆動装置１は、被写体側からアクチュエータユニット１０、シャッタ基板２０、第１羽根受け板３０、第１羽根４０、第２羽根５０、第２羽根受け板６０、羽根押え板７０の順に構成される。
【００１１】
羽根駆動装置１は、羽根２枚構成の装置である。アクチュエータユニット１０は、第１羽根４０及び第２羽根５０の駆動源である。また、出力ピン１１は、アクチュエータユニット１０の出力軸（不図示）に連結され、第１羽根４０及び第２羽根５０にアクチュエータユニット１０の駆動力を伝達する。また、シャッタ基板２０には、出力ピン１１の所定範囲の揺動を逃がすための逃げ孔２２が形成されている。
【００１２】
シャッタ基板２０は、その中央部に被写体光を不図示の撮像素子に導くための開口部２１が形成されている。また、シャッタ基板２０の表面には、被写体側に２つの柱状部材２３が設けられており、柱状部材２３は、図示しないカメラ本体に組み付けられる際に使用される取付柱である。また、シャッタ基板２０の外周部には、凹状に形成された、第２係合部２４が３箇所に形成されている。第２係合部２４については詳しくは後述する。
【００１３】
第１羽根受け板３０は、シャッタ基板２０よりも撮像素子側に隣接して配置される。第１羽根受け板３０の中央部には、開口部２１に対応するように開口部３１が形成されている。第１羽根受け板３０の端部には、出力ピン１１の揺動を逃がすように、切欠部３２が形成されている。
【００１４】
第１羽根４０は、出力ピン１１と係合する長孔４１が形成されている。また、軸孔４２は、シャッタ基板２０の撮像素子側に形成されている軸部（不図示）により、羽根押え板７０の軸孔７４と共通に挿通される。第１羽根４０は、軸孔７４を支点として所定の範囲を揺動する。
第２羽根５０は、出力ピン１１と係合する長孔５１が形成されている。また、軸孔５２についても、シャッタ基板２０の撮像素子側に形成されている軸部（不図示）により、羽根押え板７０の軸孔７３と共通に挿通される。第２羽根５０は、軸孔７３を支点として所定の範囲を揺動する。
【００１５】
第２羽根受け板６０は、その中央部には、開口部２１、開口部３１と対応するように開口部６１が形成されている。また、第２羽根受け板６０の端部にも、出力ピン１１の揺動を逃がすように切欠部６２が形成されている。
羽根押え板７０は、その中央部に、開口部２１、開口部３１、開口部６１と対応するように、開口部７１が形成されている。また、出力ピン１１の揺動を逃がすための円弧孔７２が形成されている。羽根押え板７０の外周部には、第１係合部７５が形成されており、第２係合部２４と対応するように３箇所に形成されている。また、羽根押え板７０は樹脂で形成されている。
【００１６】
羽根駆動装置１を組付けるには、まずアクチュエータユニット１０の出力軸にシャッタ基板２０を介して出力ピン１１を組付け、シャッタ基板２０の撮像素子側の面に突出して形成された固定用の複数のピン（不図示）と係合するように、第１羽根受け板３０と係合させ、次に第１羽根４０の長孔４１と軸孔４２をそれぞれ、出力ピン１１とシャッタ基板２０の撮像素子側に形成されている軸部（不図示）に係合させ、また第２羽根５０の長孔５１と軸孔５２をそれぞれ、出力ピン１１とシャッタ基板２０の撮像素子側に形成されている軸部（不図示）に係合させて第１羽根４０及び第２羽根５０を組付ける。次に、前述したシャッタ基板２０の撮像素子側の面及び羽根押え板７０の被写体側の面に形成された複数のピンを、それぞれ対応する、各部材に設けられた孔と係合するように、第２羽根受け板６０及び羽根押え板７０を組付ける。羽根押え板７０をシャッタ基板２０に組付ける際には、第１係合部７５と第２係合部２４とが係合することによって互いに光軸方向への位置が規制される。また、第１羽根受け板３０、第１羽根４０、第２羽根５０、第２羽根受け板６０は、シャッタ基板２０と羽根押え板７０との間で保持される。
【００１７】
次に、第１係合部７５について詳細に説明する。
図２乃至図４は、第１係合部７５の説明図であり、図２は、第１係合部７５の斜視図、図３は正面図、図４は平面図である。
第１係合部７５は、羽根押え板７０の外周部から羽根押え板固定面７０ａに対して直交する方向（光軸方向）に直方体状に突出して形成されている。第１係合部７５は、爪部７５ａ、胴体部７５ｂ、突起部７５ｃ等から構成され、胴体部７５ｂは厚み方向に弾性変形可能となっている。
爪部７５ａは、胴体部７５ｂの先端部から羽根押え板７０の中心側に向けて突出して形成されている。
また、爪部７５ａの上端部には、その一部から中心側の先端にかけて傾斜した傾斜面７５ｅが形成されている。
【００１８】
胴体部７５ｂの、面の垂線が光軸方向に対して直交する方向となる面、より詳しくは、羽根押え板７０の外周方向に対して略垂直に形成された側面部７５ｆには、突起部７５ｃがそれぞれ形成されている。突起部７５ｃは、側面部７５ｆに沿うように半円柱状に形成され、曲面が外側を向くように形成されている。また、突起部７５ｃは、爪部７５ａが突出している位置よりも低い位置までの高さを有して形成されている。また、突起部７５ｃの被写体側の先端部は、円錐状に傾斜した傾斜部７５ｄが形成されている。
【００１９】
また、羽根押え板７０には、第１係合部７５の近傍に孔部７０ｂが形成されている。孔部７０ｂは、爪部７５ａを成形するための金型が抜かれた際に形成されるものである。胴体部７５ｂは、この羽根押え板孔部７０ｂの内側の縁部に沿って光軸方向に突出するように形成されている。
【００２０】
次に、第１係合部７５に発生し得るバリについて説明する。
図５は、図３のＡ−Ａ断面図である。
【００２１】
側面部７５ｆからの突起部７５ｃの突出高さをＬ１とする。同様に、側面部７５ｆからのバリ７５ｚの突出高さをＬ２とする。図５に示すように、突起部７５ｃの突出高さＬ１は、バリ７５ｚの突出高さＬ２よりも高くなるように形成されている。尚、バリ７５ｚは、羽根押え板７０を形成する金型と、爪部７５ａを成形するための、孔部７０ｂを構成する前述の金型の隙間に樹脂が入り込むことによって形成されたものである。従って、突起部７５ｃは、バリ７５ｚが形成される面（金型同士の隙間が発生するおそれのある面）に形成される。
【００２２】
次に、第１係合部７５と係合する第２係合部２４について説明する。
図６は、第２係合部２４の平面図である。図７は、図６のＢ−Ｂ断面図である。
第２係合部２４は、シャッタ基板２０の外周縁に凹状となるように切欠状に形成されている。
また、第２係合部２４は、鍔部２４ａ、側面部２４ｂなどから構成される。
鍔部２４ａの撮像素子側には、中心側に向かって傾斜した傾斜面２４ｃが形成されている。また、第１係合部７５及び第２係合部２４の係合状態において、鍔部２４ａが爪係止部として爪部７５ａと係合し、側面部２４ｂが突起部７５ｃとある程度のクリアランスをもって係合する。
【００２３】
次に、第２係合部２４及び第１係合部７５の係合状態において説明する。
図８は、第２係合部２４及び第１係合部７５の係合状態での平面図である。図９は、図８のＣ−Ｃ断面図である。
【００２４】
爪部７５ａが鍔部２４ａと係合して第２係合部２４及び第１係合部７５は係合状態となる。第２係合部２４に第１係合部７５を組付ける際には、第２係合部２４に図８の下方から上方に第１係合部７５を押し込むことにより、傾斜面７５ｅと傾斜面２４ｃとが接触して、胴体部７５ｂが図９の左方向に弾性変形する。この状態からさらに第２係合部２４を上方に押し込むと、傾斜面７５ｅと鍔部２４ａとの接触状態が解除され、鍔部２４ａが爪部７５ａの下方に配置され、第２係合部２４及び第１係合部７５は係合状態となる。
【００２５】
このように、傾斜面７５ｅ及び２４ｃは、係合する際に必要となる第１係合部７５の厚み方向への弾性変形を促すように形成されている。
【００２６】
また、前述したように、突起部７５ｃには傾斜部７５ｄが形成されているので第１係合部７５を第２係合部２４に組付ける際に、突起部７５ｃが側面部２４ｂと接触しても、傾斜部７５ｄによりスムースに第１係合部７５を組み込むことができる。更に第１係合部７５が第２係合部２４に対して押し込まれることにより、突起部７５ｃの側面に側面部２４ｂがある程度のクリアランスをもって第１係合部７５と第２係合部２４とが当接するようにして、第２係合部２４と第１係合部７５が係合状態となる。
【００２７】
従って、傾斜部７５ｄは、第２係合部２４と第１係合部７５との係合を容易にする機能を有する。これにより、組付け性が向上する。従って、短時間で組付け作業を行うことができ、生産性が向上し、製品コストが低下する。
【００２８】
次に、第２係合部２４及び第１係合部７５が係合状態でのバリの状態を説明する。図１０は、係合状態において、図５に対応する図である。
図１０に示すように、突起部７５ｃは側面部２４ｂと当接するが、バリ７５ｚは側面部２４ｂと接触しない。このように突起部７５ｃは、第２係合部２４及び第１係合部７５が係合する状態において側面部２４ｂと当接すると共に、バリ７５ｚが発生した側面部７５ｆに形成され、発生したバリ７５ｚの突出高さＬ２よりも高く形成されている。
【００２９】
このため、バリ７５ｚが発生した場合であっても、突起部７５ｃはバリ７５ｚよりも高く形成されているので、第２係合部２４及び第１係合部７５の係合状態において、バリ７５ｚによる影響を受けることがない。従って、バリ７５ｚの影響を受けることなく組付け性を維持することができる。また、バリ７５ｚが発生した場合であっても容易に組付けることができるので、バリ７５ｚによる不良品の発生を抑えることができ、製品コストの増加を抑制できる。
【００３０】
第１係合部７５及び第２係合部２４の係合状態において、突起部７５ｃは側面部２４ｂとある程度のクリアランスをもって当接するようにしているが、シャッタ基板２０と羽根押え板７０相互間の組付け後の位置バラツキを抑えるために、前記クリアランスが小さくなるように調節する場合がある。この場合、突起部７５ｃと側面部２４ｂとのクリアランスの調整は突起部７５ｃ部の型側の追加工で容易に行うことができる。また、突起部７５ｃと側面部２４ｂがシャッタ基板２０と羽根押え板７０との取付けガイドの機能を有する場合も同様に、突起部７５ｃと側面部２４ｂをある程度のクリアランスをもって当接させるため、上記のクリアランス調整を容易に行うことができる。
【００３１】
以上本発明の好ましい実施形態について詳述したが、本発明は係る特定の実施形態に限定されるものではなく、特許請求の範囲に記載された本発明の要旨の範囲内において、変形・変更が可能である。
【００３２】
本発明の羽根駆動装置１は、アクチュエータユニット１０が被写体側となる実施例を詳述したが、羽根押え板７０が被写体側となってもよい。
【００３３】
傾斜部７５ｄは、円錐状に傾斜しているが、このような形状に限定されず、平面状に傾斜していてもよい。
【００３４】
上記の実施例では、羽根押え板７０が第１係合部７５を有し、シャッタ基板２０が第２係合部２４を有する構成であったが、羽根押え板７０が第２係合部２４を有し、シャッタ基板２０が第１係合部７５を有するような構成であってもよい。
【００３５】
上記の実施例では、本発明に係るスナップフィット機構を羽根駆動装置に採用した場合について説明したが、それ以外の装置に本発明にかかるスナップフィット機構を採用してもよい。
【図面の簡単な説明】
【００３６】
【図１】羽根駆動装置の分解斜視図である。
【図２】第１係合部の斜視図である。
【図３】第１係合部の正面図である。
【図４】第１係合部の平面図である。
【図５】図３のＡ−Ａ断面図である。
【図６】第２係合部の平面図である。
【図７】図６のＢ−Ｂ断面図である。
【図８】第２係合部及び第１係合部の係合状態での平面図である。
【図９】図８のＣ−Ｃ断面図である。
【図１０】係合状態において、図５に対応する図である。
【符号の説明】
【００３７】
１                        羽根駆動装置
１０                      アクチュエータユニット
１１                      出力ピン
２０                      シャッタ基板
２１、３１、６１、７１    開口部
２２                      逃げ孔
２３                      柱状部材
２４                      第２係合部
２４ａ                    鍔部
２４ｂ                    側面部
２４ｃ                    傾斜面
３０                      第１羽根受け板
３２、６２                切欠部
４０                      第１羽根
４１、５１                長孔
４２、５２、７３、７４    軸孔
５０                      第２羽根
６０                      第２羽根受け板
７０                      羽根押え板
７０ａ                    固定面
７０ｂ                    孔部
７２                      円弧孔
７５                      第１係合部
７５ａ                    爪部
７５ｂ                    胴体部
７５ｃ                    突起部
７５ｄ                    傾斜部
７５ｅ                    傾斜面
７５ｆ                    側面部
７５ｚ                    バリ
【図１】
2008128341.tif 000003
【図２】
2008128341.tif 000004
【図３】
2008128341.tif 000005
【図４】
2008128341.tif 000006
【図５】
2008128341.tif 000007
【図６】
2008128341.tif 000008
【図７】
2008128341.tif 000009
【図８】
2008128341.tif 000010
【図９】
2008128341.tif 000011
【図１０】
2008128341.tif 000012